(57)【特許請求の範囲】
【請求項１】
パイプ材からなる支柱が平面視４角形の４角の角部に配置され、
支柱の上端部において、支柱と支柱との間にパイプ材からなる横架梁を架設して該４角形の４辺を形成し、
支柱の下端部において、支柱と支柱との間にパイプ材からなる横架梁を架設して該４角形の３辺のみを形成し、
支柱と横架梁とがジョイントを介して連結された空間形成用の骨組構造であって、
ジョイントは、ジョイント本体とサブジョイントからなり、ジョイント本体は正六面体ブロックと該ブロックの５面からそれぞれ直角に突き出る５つの脚部を有し、サブジョイントはピンを有する部材であり、
支柱および横架梁を構成するパイプ材の両端部とジョイント本体の脚部とには、サブジョイントのピンが貫通できる孔が形成され、
支柱のパイプ材の端部にはジョイント本体の上記５つの脚部のうち、他の４つの脚部に対して直角の方向に突き出ている脚部が挿入されるとともに、横架梁のパイプ材の端部には該他の４つの脚部のいずれかの脚部が挿入され、
ジョイント本体の脚部と支柱およびジョイント本体の脚部と横架梁は、それぞれサブジョイントのピンが上記の孔に挿入されていることにより接続されていることを特徴とする空間形成用の骨組構造。
【請求項２】
前記サブジョイントが前記パイプ材を把持する略Ｃ型の把持片と前記ピンを有するクリップであることを特徴とする請求項１に記載の空間形成用の骨組構造。
【請求項３】
２（ｎ＋１）本の支柱と（５ｎ＋２）本の横架梁とから、ｎ個の隣接する空間を形成する空間形成用の骨組構造であって、各空間を形成する骨組が請求項１又は２に記載の空間形成用の骨組構造からなることを特徴とする、ｎ個の隣接する空間を形成する空間形成用の骨組構造。
ここで、ｎは２以上の整数である。
【請求項４】
３（ｎ＋１）本の支柱と４（２ｎ＋１）本の横架梁とから、各列ｎ個の隣接する空間が隣接して２列形成される空間形成用の骨組構造であって、該２列の各空間を形成する骨組が請求項１又は２に記載の空間形成用の骨組構造からなることを特徴とする、各列ｎ個の隣接する空間が隣接して２列形成される空間形成用の骨組構造。
ここで、ｎは２以上の整数である。
【請求項５】
請求項１又は２に記載の空間形成用の骨組構造において、支柱上端部の平面視４角形の４つの角部に形成される支柱と横架梁との間および横架梁と横架梁との間に形成されるコーナー部のうち、少なくとも１つ以上のコーナー部にコーナー材が架設されていることを特徴とする空間形成用の骨組構造。
【請求項６】
請求項３に記載のｎ個の隣接する空間を形成する空間形成用の骨組構造又は請求項４に記載の各列ｎ個の隣接する空間が隣接して２列形成される空間形成用の骨組構造において、各空間を形成する骨組構造のいずれにおいても、平面視４角形の４つの角部に形成される支柱と横架梁との間および横架梁と横架梁との間に形成されるコーナー部のうち、少なくとも１つ以上のコーナー部にコーナー材が架設されていることを特徴とする空間形成用の骨組構造。
【請求項７】
前記コーナー材が把持部材とパイプ材とからなり、該パイプ材は両端部と両端部に連続する中央部からなり、両端部は長さが異なり、かつ両端部の軸中心線の延長が直角に交差することを特徴とする請求項５又は６に記載の空間形成用の骨組構造。
【発明の詳細な説明】
【技術分野】
【０００１】
本発明は、空間形成用の骨組構造に関わる。
【背景技術】
【０００２】
従来、シートや布製加工品で覆われた空間形成用の骨組構造は、シートや布製加工品で覆うことによりさまざまな分野で使用されている。
例えば、屋内で使用されるものとしては、災害時に体育館などの屋内に設営され、プライベート空間を確保できる避難室として使用される仮設テントや臨時の診療室、フィルターを使用して雰囲気を清浄にしたクリーンルームなどが知られている。
また、屋外で使用されるものとしては、運動会等のイベントでは、雨除けや日除けのために設けられたテントや仮設テントが知られている。建築現場などの資材置き場では、建築資材を雨水等から保護するための建築資材保管用のテントが知られている。
これらのテント類の空間形成用の骨組としては、組立、分解が容易にできる空間形成用の骨組構造が求められている。
【０００３】
しかし、従来のテント類に使用される骨組構造は、構造が複雑であったり、支柱などのフレーム部品の種類や部品点数が多かったりして、組立や分解に人手や時間を多く消費していた。特許文献１に記載の骨組構造では、リンク機構を利用した折り畳み可能な骨組構造が示されているが、主梁材が入りくんでおり、組立や分解は容易には行えない。
【０００４】
また、災害時の体育館などの避難場所には多数の仮設テントが設置されるが、避難が解除された後はこれらの多数の仮設テントを解体して分解された骨組構造の部品を保管しなければならない。このように保管時のことを考慮すると、分解後に広い保管スペースを必要とせず、コンパクトに収納できる空間形成用の骨組構造が求められていた。
【０００５】
そこで、本発明者らは、組立、分解が容易であって、しかも分解後にコンパクトに収納でき、広い保管スペースを必要としない空間形成用の骨組構造を提供することを目的として、一方の端部近傍に屈曲部を有し、該屈曲部を除く部位が直線状である２本の同形のパイプ材と該パイプ材を支持する支持材とからなり、該２本のパイプ材同士が対向して屈曲部を除く部位で平行に、かつ点対称に配置されて、一方のパイプ材の屈曲部が他方のパイプ材に近づく方向に屈曲しているように支持材で支持されてなる側面フレームを使用した骨組構造の発明をなすに至った（特許文献２参照）。
【０００６】
この従来技術の空間形成用の骨組構造は、単独の空間を形成することはできるが、複数の空間を形成するには、複数の骨組構造を並べるほかなく、多数の空間が集合した骨組構造の構築には適していなかった。
【先行技術文献】
【特許文献】
【０００７】
特許文献１：特開２００５−１５５０６２号公報
特許文献２：特許第５８４６５９３号公報
【発明の概要】
【発明が解決しようとする課題】
【０００８】
本発明はこのような問題を解決するためになされたものであり、組立、分解が容易であって、しかも分解後にコンパクトに収納でき、広い保管スペースを必要としない空間形成用の骨組構造であって、かつ複数の空間が集合した骨組構造を構築することも容易な骨組構造を提供することを課題とする。
【課題を解決するための手段】
【０００９】
上記の課題を解決するために、本発明は以下の手段を採用する。
［１］パイプ材からなる支柱が平面視４角形の４角の角部に配置され、支柱の上端部において、支柱と支柱との間にパイプ材からなる横架梁を架設して該４角形の４辺を形成し、支柱の下端部において、支柱と支柱との間にパイプ材からなる横架梁を架設して該４角形の３辺のみを形成し、支柱と横架梁とがジョイントを介して連結された空間形成用の骨組構造であって、ジョイントは、ジョイント本体とサブジョイントからなり、ジョイント本体は正六面体ブロックと該ブロックの５面からそれぞれ直角に突き出る５つの脚部を有し、サブジョイントはピンを有する部材であり、支柱および横架梁を構成するパイプ材の両端部とジョイント本体の脚部とには、サブジョイントのピンが貫通できる孔が形成され、支柱のパイプ材の端部にはジョイント本体の上記５つの脚部のうち、他の４つの脚部に対して直角の方向に突き出ている脚部が挿入されるとともに、横架梁のパイプ材の端部には該他の４つの脚部のいずれかの脚部が挿入され、ジョイント本体の脚部と支柱およびジョイント本体の脚部と横架梁は、それぞれサブジョイントのピンが上記の孔に挿入されていることにより接続されていることを特徴とする空間形成用の骨組構造。
［２］前記サブジョイントが前記パイプ材を把持する略Ｃ型の把持片と前記ピンを有するクリップであることを特徴とする［１］に記載の空間形成用の骨組構造。
［３］２（ｎ＋１）本の支柱と（５ｎ＋２）本の横架梁とから、ｎ個の隣接する空間を形成する空間形成用の骨組構造であって、各空間を形成する骨組が［１］又は［２］に記載の空間形成用の骨組構造からなることを特徴とする、ｎ個の隣接する空間を形成する空間形成用の骨組構造。ここで、ｎは２以上の整数である。
［４］３（ｎ＋１）本の支柱と４（２ｎ＋１）本の横架梁とから、各列ｎ個の隣接する空間が隣接して２列形成される空間形成用の骨組構造であって、該２列の各空間を形成する骨組が［１］又は［２］に記載の空間形成用の骨組構造からなることを特徴とする、各列ｎ個の隣接する空間が隣接して２列形成される空間形成用の骨組構造。ここで、ｎは２以上の整数である。
［５］ ［１］又は［２］に記載の空間形成用の骨組構造において、支柱上端部の平面視４角形の４つの角部に形成される支柱と横架梁との間および横架梁と横架梁との間に形成されるコーナー部のうち、少なくとも１つ以上のコーナー部にコーナー材が架設されていることを特徴とする空間形成用の骨組構造。
［６］ ［３］に記載のｎ個の隣接する空間を形成する空間形成用の骨組構造又は［４］に記載の各列ｎ個の隣接する空間が隣接して２列形成される空間形成用の骨組構造において、各空間を形成する骨組構造のいずれにおいても、平面視４角形の４つの角部に形成される支柱と横架梁との間および横架梁と横架梁との間に形成されるコーナー部のうち、少なくとも１つ以上のコーナー部にコーナー材が架設されていることを特徴とする空間形成用の骨組構造。
［７］前記コーナー材が把持部材とパイプ材とからなり、該パイプ材は両端部と両端部に連続する中央部からなり、両端部は長さが異なり、かつ両端部の軸中心線の延長が直角に交差することを特徴とする［５］又は［６］に記載の空間形成用の骨組構造。
【発明の効果】
【００１０】
本発明の空間形成用の骨組構造は、５つの脚部を有するジョイント本体とサブジョイントからなるジョイントによりパイプ材からなる支柱と横架梁を接続でき、骨組構造の組立と分解が容易に行うことができ、しかも、骨組構造を構成する部品がパイプ材とジョイントであり、かさばらない形状の部品であるから、骨組構造の分解後はコンパクトに収納ができ、広い保管スペースを必要としない。また、５つの脚部を有するジョイント本体を介して、隣接する空間を連続して形成する骨組構造とすることも容易に行うことができる。
【図面の簡単な説明】
【００１１】
【図１】本発明の空間形成用骨組構造の斜視図を示す。
【図２】本発明の空間形成用骨組構造の平面図を示す。
【図３】支柱のパイプ材および横架梁のパイプ材を示す。
【図４】ジョイント本体の斜視図を示す。
【図５】サブジョイントとして使用される２つの実施形態を示す。（ａ）、（ｂ）はそれぞれ略Ｃ型クリップの正面図、側面図、（ｃ）は割ピンの斜視図を示す。
【図６】（ａ）はジョイント本体の脚部に横架梁のパイプ材が装着された状態を示す。（ｂ）は略Ｃ型クリップにより、ジョイント本体の脚部に横架梁のパイプ材が接続された状態を示す。
【図７】サブジョイント（略Ｃ型クリップ）によりジョイント本体の脚部に支柱や横架梁が接続されている状態の斜視図を示す。（ａ）は支柱上端部での接続状態を、（ｂ）は支柱下端部での接続状態の２つのタイプのうちの１つを、（ｃ）は支柱下端部での接続状態の他のタイプの１つを、それぞれ示す。
【図８】複数の空間が一列に隣接して形成される骨組構造の斜視図を示す。（ａ）は各空間の冂（けいがまえ）状の骨組が同一平面上にある状態を示す。（ｂ）は、各空間の冂（けいがまえ）状の骨組が同一平面上にない状態を示す。
【図９】複数の空間が隣接して形成される骨組構造の斜視図を示す。（ａ）は空間が縦方向に隣接している骨組構造の斜視図を、（ｂ）は縦方向および横方向に隣接している骨組構造の斜視図をそれぞれ示す。
【図１０】隣接した複数の空間が２列に形成され、各列の各空間の冂（けいがまえ）状の骨組が同一平面上にある骨組構造の斜視図を示す。
【図１１】本発明の空間形成用骨組構造の冂（けいがまえ）状の骨組とさらに設けた冂（けいがまえ）状の骨組とにより空間を形成した骨組構造の斜視図を示す。
【図１２】骨組構造の支柱の上端部において、支柱と横架梁が形成する角部に２つのコーナー材が取り付けられている骨組構造の斜視図を示す。（ａ）は骨組構造全体の斜視図を、（ｂ）は要部を拡大した斜視図をそれぞれ示す。
【図１３】（ａ）は両端部の長さが異なるコーナー材の平面図を示す。（ｂ）はコーナー材本体部材の平面図を示す。
【図１４】コーナー材の把持部材を示す。（ａ）は正面図を示す。（ｂ）は平面図を示す。
【図１５】アジャスターの斜視図を示す。
【図１６】アジャスターがジョイント本体に取り付けられた状態の正面図を示す。
【図１７】ノブ付きネジの斜視図を示す。
【図１８】ノブ付きネジがジョイント本体に取り付けられた状態の正面図を示す。
【発明を実施するための形態】
【００１２】
本発明の空間形成用の骨組構造を図面に基づいて説明する。なお、以下において、空間形成用の骨組構造を単に「骨組構造」ということがある。
本発明の骨組構造１は、図１に示されるように、平面視４角形の４角の角部に配置される同じ高さの４本の支柱２および支柱２と支柱２との間に架設される７本の横架梁３を備えている。
なお、梁とは、通常、柱の上にはり渡し、屋根を支える材料を指しているが、横架梁は支柱と支柱の間に架設される材料を指している。
【００１３】
骨組構造１の支柱２の上端部においては、後述するジョイント４を介して横架梁３が支柱２と支柱２の間に架設され、４本の横架梁３が平面視４角形の４辺を形成している（図２参照。なお、図２では、支柱２はジョイント４の下に隠れている。また、この図では、ジョイント４を構成しているジョイント本体とサブジョイントのうち、サブジョイントは省略されている）。
他方、支柱の下端部においても、支柱２と支柱２の間にジョイント４を介して横架梁３が架設され、図１から分かるように、３本の横架梁３が平面視４角形の３辺を形成している。
したがって、骨組構造１は、２本の支柱と該２本の支柱の上端部と下端部に架設される２本の横架梁３とで形成される３つの矩形の骨組、２本の支柱と該２本の支柱の上端部に架設される横架梁３とで形成される冂（けいがまえ）状の骨組及び支柱２の上端部に架設された４本の横架梁３が形成する平面視四角の矩形の骨組で囲われる立方体や直方体の空間を形成することができる。
上記の３つの矩形の骨組および冂（けいがまえ）状の骨組は、骨組構造１が形成する空間の側面を形成し、上記の支柱２の上端部に架設された４本の横架梁３が形成する平面視４角の矩形の骨組は、骨組構造１が形成する空間の天井面を形成することになる。
【００１４】
骨組構造１が形成する空間の側面の骨組に布やビニールなどからなるシートを取り付ければ、外部と区切る空間を形成することができる。さらに、骨組構造１が形成する空間の天井面の骨組にシートを取り付ければ、外部と区切る天井付きの空間を形成することができる。
この骨組構造１は、２本の支柱２と該２本の支柱２の上端部に架設された横架梁３で冂（けいがまえ）状の骨組を備えるが、この冂（けいがまえ）状の骨組の横架梁３に、例えば布やビニールなどからなるシートの代わりにカーテンを取り付けると、カーテンをどちらか一方の支柱側に寄せるたり２つの支柱の間に拡げたりして、冂（けいがまえ）状の骨組を骨組構造１が形成する空間への出入り口とすることができる。また、シートやカーテンなどを取り付けない場合は、常に開放された出入り口とすることができる。
【００１５】
支柱２と横架梁３は内径および外径が同じパイプ材とする。こうすることで部品の種類の数を少なくすることができる。
支柱２はいずれも同じ長さであるが、横架材３については、少なくとも、互いに平行に架設される横架梁同士が同じ長さでなければならない。
支柱２や横架梁３のパイプ材の両端部の各端部には後述するサブジョイントのピンが該パイプ材を貫通できる２つの孔が形成されている。図３に支柱２と横架梁３のパイプ材を示した。ここでは、支柱２は横架梁３と同じ長さのものが示されているが、この形態に限るものではなく、支柱２が横架梁３よりも長い場合、あるいは短い場合もある。
【００１６】
支柱２と横架梁３はジョイント４により接続して、横架材３を支柱２と支柱２の間に架設することができる。
ジョイント４は、ジョイント本体５とサブジョイント６からなり、ジョイント本体５を図４に、サブジョイント６を図５にそれぞれ示した。
【００１７】
ジョイント本体５は、正６面体ブロックと正６面体ブロックの６面のうちの５面において、各面に対して直角に突き出る円柱状の脚部５１を備えている。これら５つの脚部５１の長さと外径は同じである。
５つのうちの４つの脚部５１は、脚部５１の軸中心線は同一平面上にあり、隣り合う脚部同士の軸中心線は直角を形成している。そして、残りの１つの脚部５１は、軸中心線がこの平面に垂直であり、図４では上向きに示されている。
したがって、ジョイント本体５が有する５つの脚部のうち、１つの脚部（図４では上向きの脚部）５１は、他の４つの脚部５１に対して直角の方向に突き出ている。
また、脚部５１には、脚部５１の軸に直交する貫通孔５２が形成されている。後述するように、貫通孔５２には、サブジョイント６のピンが挿入される。
【００１８】
サブジョイント６は、ピン６１を備える部材であり、ジョイント本体５の脚部５１から支柱２や横架梁３のパイプ材が外れないようにするためのものある。図５（ａ）、（ｂ）および図５（ｃ）にサブジョイント６の異なる実施形態を示した。
【００１９】
図５（ａ）、（ｂ）に示す実施形態では、ピン６１を備える断面が略Ｃ型の把持部６２を有する略Ｃ型クリップ６であり、支柱２や横架梁３のパイプ材を把持することができる。この把持部６２は、弾性を有する２つの把持片を有し、把持片を押し拡げて支柱２や横架梁３のパイプ材に装着した後は２つの把持片が閉じる方向に締まるようになっている。
そして、ピン６１は、略Ｃ型の部位の中央部から把持片側に突き出し、ピン６１の径（断面の長さ）はジョイント本体５の脚部５１に穿設された貫通孔５２の径および支柱２や横架梁３のパイプ材の端部に穿設された貫通孔の径よりもやや小さい。
そして、ピン６１の把持片側に突き出ている部位は、支柱２や横架梁３のパイプ材の外径よりやや長く、略Ｃ型クリップ６がこれらのパイプ材に装着されると、ピン６１がパイプ材の端部に穿設された２つの孔を貫通し、同時にジョイント本体５の孔５２を貫通することになる。
【００２０】
上述したように、サブジョイント６は、ジョイント本体５の脚部５１から支柱２や横架梁３のパイプ材が外れないように接続するためのものあるから、サブジョイント６として、略Ｃ型クリップの代わりに、図５（ｃ）に示すような、ピン６１を有する割ピン６を使用することもできる。
割ピン６は、ピン６１と頭部６３とからなり、ピン６１が開脚できる２本の脚からなっている。対象物の孔にこの２本の脚であるピン６１を通し、この脚を両側に開くようにして固定するものであり、支柱２や横架梁３のパイプ材の端部に形成された２つの孔とジョイント本体５の脚部５１に形成された孔５２とを貫通するように、割ピンのピン６１を挿入し、パイプ材から飛び出たピンの２本の脚を曲げて開き、支柱２や横架梁３のパイプ材の外周に沿わせることで、ジョイント本体５の脚部５１に支柱２や横架梁３のパイプ材を接続することができる。割ピンのピン６１の長さは、パイプ材の外径よりも長くなければならない。図示はしていないが、ヘアピン型の割ピンも同様にサブジョイント６として使用することができる。
【００２１】
サブジョイント６がピン６１を有する部材であるから、該ピンを支柱２や横架梁３、ジョイント本体５の脚部５１に形成された孔に挿入して、格別の工具を使用することなく、あるいは工具を使用することなく、支柱２や横架梁３をジョイント本体の脚部５１に接続することができ、骨組構造１の組立が容易に行うことができる。逆に分解するときも、同様に容易に行うことができる。
とりわけ、略Ｃ型クリップ６は、２つの把持片を手で押し広げて、ピン６１を支柱２や横架梁３のパイプ材およびジョイント本体５の脚部５１に形成された孔に挿入することにより、工具を必要としないで、パイプ材をジョイント本体５に接続することも可能である。
【００２２】
骨組構造１においては、ジョイント本体５の、軸中心線が同一平面上にある４本の円柱状の脚部５１のいずれかの脚部に、該脚部５１が横架梁３のパイプ材の端部に挿入された状態で、該横架梁３が装着される。この状態を図６（ａ）に示した。
そして、支柱２についても、図6には示されてはいないが、上記の４本の脚部５１ではない残りの１つの円柱状の脚部５１、すなわち上記の４本の脚部５１の軸中心線が形成する平面に対して軸中心線が直角をなす脚部５１には、該脚部５１が支柱２のパイプ材の端部に挿入された状態で、該支柱２が装着される〔図７（ａ）〜（ｃ）参照〕。
したがって、ジョイント本体５の脚部５１の外径は支柱２や横架梁３のパイプ材の内径以下にしなければならない。脚部５１を横架梁３や支柱２のパイプ材の端部に挿入しやすいように、脚部５１の外径を横架梁３や支柱２のパイプ材の内径よりもやや小さくして、脚部５１とパイプ材がタイトな状態にならないように遊びを持たせることが望ましい。こうすると、ジョイント本体５の脚部５１と支柱２や横架梁３のパイプ材を装着あるいは分離することが容易に行える。
【００２３】
サブジョイント６は、ジョイント本体５の脚部５１が挿入された支柱２や横架梁３のパイプ材の端部に装着されて、ジョイント本体５の脚部５１から支柱２や横架梁３のパイプ材が外れないようにするためのものある。
ジョイント本体５の脚部５１に支柱２や横架梁３のパイプ材を取り付けるには、まず脚部５１をパイプ材の端部に、該パイプ材に穿設された孔（２つ）と脚部５１に穿設された孔５２とが重なるように挿入し、次いで、ピン６１がパイプ材の端部に形成された２つの孔とジョイント本体５の脚部５１に形成された孔とを貫通するように、装着して取り付ける。
このようにして、ジョイント本体５の脚部５１から支柱２や横架梁３のパイプ材が外れないように取り付けることができる。
図６（ａ）に、ジョイント本体５の、軸が同一平面上にある４本の脚部５１の１つに、横架梁３のパイプ材の端部に挿入された状態を、図６（ｂ）に、図６（ａ）に示された横架梁３のパイプ材の端部にサブジョイント６の略Ｃ型クリップが装着された状態をそれぞれ示した。
【００２４】
図１に示すように、支柱２の上端部と下端部のそれぞれにおいて、４つのジョイント４を使用することにより横架梁３を架設して、１つの空間を形成する骨組構造１を構築することができる。
そして、図１や図７（ａ）から分かるように、支柱２の上端部では、４つのジョイントのいずれのジョイント本体５においても、軸中心線が同一平面上にある４つの脚部５１のうちの２本の脚部に横架梁３が取り付けられるとともに、該同一平面に垂直でかつ下向きに突き出る脚部５１には支柱２が取り付けられている。
【００２５】
また、支柱２の下端部では、４つのジョイント本体のうち、２つのジョイント本体５においてはいずれも、図１や図７（ｂ）に示すように、軸が同一平面上にある４本の脚部５１のうちの２本の脚部５１に横架梁３が取り付けられるとともに、該同一平面に垂直でかつ上向きに突き出る脚部５１に支柱２が取り付けられている。そして、図１や図７（ｃ）に示すように、残りの２つのジョイント本体５においてはいずれも、軸中心線が同一平面上にある４本の脚部５１のうちの１本の脚部に横架梁３が取り付けられるとともに、該同一平面に垂直でかつ上向きに突き出る脚部５１に支柱２が取り付けられている。
そして、図７（ａ）〜（ｃ）では、ジョイント本体５の脚部５１が挿入された支柱２や横架梁３のパイプ材の端部にはいずれも、図５（ａ）、（ｂ）に示す略Ｃ型クリップのサブジョイント６が装着されて、ジョイント本体５から、支柱２や横架梁３のパイプ材が外れないようになっている。サブジョイント６として、図５（ｃ）に示す割ピンを使用しても同様である。
【００２６】
以上の骨組構造１を基本構造として利用し、骨組構造１が形成する空間を隣接させて縦横に並べることができる骨組構造を構築することができる。以下、複数の空間を形成することができる骨組構造を「骨組構造１Ｍ」ということにする。
【００２７】
図８（ａ）には、集合住宅の一形態である長屋のように、骨組構造１が形成する空間を隣接させて横方向に並べた骨組構造１Ｍを示した。
図８（ａ）において、左端の骨組構造１を骨組構造１ａ、骨組構造１ａが形成する空間に隣接する空間を形成している、新たに構築された骨組構造１を骨組構造１ｂとする。
図８（ａ）に示すように、骨組構造１と同じ構造の骨組構造１ａの冂（けいがまえ）状の骨組が形成する面と直角に交差する面を形成する矩形の骨組の２本の支柱２及びこの２本の支柱の上端部と下端部に架設される２本の横架梁３と新たに配置した２本の支柱２と横架梁３により、骨組構造１と同じ構造の平面視４角形の骨組構造１ｂを構築して、これを繰り返すことにより骨組構造１が形成する空間を複数個横に並べて、長屋のように、骨組構造１が形成する空間が横方向に並んだ骨組構造１Ｍを構築することができる。図８（ａ）では３個の空間が並んでいる。
【００２８】
骨組構造１ａと骨組構造１ｂとは２本の支柱２および該２本の支柱間に架設される２本の横架梁３からなる骨組を共有している。そして、骨組構造１ａの冂（けいがまえ）状の骨組が形成する面と骨組構造１ｂの冂（けいがまえ）状の骨組が形成する面とが同一平面上になるように配置されている。同様にして、さらに、骨組構造１ｃが骨組構造１ｂが形成する空間に隣接する空間を形成している。
骨組構造１ａ〜１ｃはいずれも、図１に示す骨組構造１の構造と同じであり、１つの冂（けいがまえ）状の骨組を有しており、この骨組を出入り口とすることができるから、骨組構造１ａ〜１ｃが形成する空間は出入り口を有するものとすることができ、そして出入り口の方向が同一である。
【００２９】
一方、図８（ｂ）に示した骨組構造１Ｍは、図８（ａ）と同様に構築されたものであり、骨組構造１ａ〜１ｃが形成する３つの空間が隣接して並んでいるが、骨組構造１ａと骨組構造１ｃの冂（けいがまえ）状の骨組が形成する面は同一平面上にあり、骨組構造１ｂの冂（けいがまえ）状の骨組が形成する面は、この平面上にはない。
したがって、冂（けいがまえ）状の骨組を出入り口とすると、骨組構造１ａ、１ｃの出入り口と骨組構造１ｂの出入り口は、図８（ｂ）に示すように、方向が逆である。
このように、図８（ｂ）に示される骨組構造１ａ〜１ｃはいずれも、図１に示す骨組構造１の構造と同じであり、１つの冂（けいがまえ）状の骨組を有しており、この骨組を出入り口とすることができる。
【００３０】
図９（ａ）には、骨組構造体１ａにおける冂（けいがまえ）状の骨組が形成する面と対向する面を形成している、２本の支柱２と該２本の支柱の上端部と下端部に架設される２本の横架梁３とで形成される矩形の骨組を利用して、２本の支柱２と横架梁３を新たに配置することにより、骨組構造１と同じ構造の平面視４角の骨組構造を構築し、新たに配置した２本の支柱２の上部に横架梁３を架設して、冂（けいがまえ）状の骨組することができる。図９（ａ）において、最初の骨組構造１を骨組構造１ａ、新たに構築された骨組構造を骨組構造１ａ′とすると、骨組構造１ａと骨組構造１ａ′とは骨組構造１ａの冂（けいがまえ）状の骨組以外の３つの矩形の骨組が形成する側面のうちの中央に位置する側面の矩形の骨組を共有している。
この場合においても、骨組構造１ａおよび１ａ′はいずれも、図１に示す骨組構造１と同じであり、１つの冂（けいがまえ）状の骨組を有しており、この冂（けいがまえ）状の骨組を出入り口とすることができるから、骨組構造１ａおよび１ａ′が形成する空間はそれぞれ出入り口を有するものとすることができる。そして、骨組構造１ａ、１ａ′の冂（けいがまえ）状の骨組が形成する面は同一平面上にはなく、図９（ａ）から分かるように、出入り口の方向は逆である。
【００３１】
図９（ｂ）に示すものは、図９（ａ）に示される骨組構造１Ｍにおける骨組構造１ａ′の２本の支柱２と該２本の支柱の上端部と下端部に架設される２本の横架梁３とで形成される矩形の骨組を利用して、２本の支柱を新たに配置することにより、骨組構造１と同じ構造の平面視４角形の骨組構造１ｂ′を構築し、新たに配置した２本の支柱２の上端部に横架梁３を架設して冂（けいがまえ）状の骨組とし、骨組構造１ｂ′による新たな空間を付加したものである。
図９（ｂ）に示される骨組構造１ａ，１ａ′、１ｂ′はいずれも、図１に示す骨組構造１の構造と同じであり、１つの冂（けいがまえ）状の骨組を有しており、この骨組を出入り口とすることができる。
このように、図９（ｂ）に示す骨組構造１Ｍから分かるように、骨組構造１を基本構造として利用し、骨組構造１が形成する空間を隣接させて縦方向にも横方向にも並べることができる骨組構造を構築することができる。
【００３２】
図８（ａ）、（ｂ）および図９（ａ）、（ｂ）に示される骨組構造１Ｍは、いずれも以下のように規定することができる。
『骨組構造１Ｍは、２（ｎ＋１）本の支柱と（５ｎ＋２）本の横架梁とから、ｎ個の隣接する空間を形成する空間形成用の骨組構造であって、各空間を形成する骨組が空間形成用の骨組構造１からなるｎ個の隣接する空間を形成する空間形成用の骨組構造である。ここで、ｎは２以上の整数である。』
図８（ａ）、（ｂ）、図９（ｂ）に示される骨組構造１Ｍでは、ｎが３であり、８本の支柱と１７本の横架梁が使用されている。また、図９（ａ）に示される骨組構造１Ｍでは、ｎが２であり、６本の支柱と１２本の横架梁が使用されている。
【００３３】
さらに、図９（ａ）に示す骨組構造１ａ、１ａ′に対して、図８（ａ）に示すように骨組構造１ａに対して骨組構造１ｂを構築したのと同様に、骨組構造を次々に構築すると、図１０に示すように、空間を２列に横方向に集合的に並べることができる。
図１０では、骨組構造１ａ〜１ｃおよび１ａ′〜１ｃ′が隣接した２列に並んだ６つの集合的な空間を形成し、骨組構造１ａ〜１ｃの冂（けいがまえ）状の骨組が形成する面および骨組構造１ａ′〜１ｃ′の冂（けいがまえ）状の骨組が形成する面のそれぞれの面が同一平面上になるように配置され、骨組構造１ａ〜１ｃが形成する空間の出入り口の方向と、骨組構造１ａ′〜１ｃ′の出入り口の方向は逆になっている。
【００３４】
ここで、集合的な空間の各空間を形成する骨組構造（１ａ〜１ｃや１ａ′１ｃ′）は、図１に示す骨組構造１と同じ構造を有し、１つの冂（けいがまえ）状の骨組を有するとともに、隣接する空間を形成している骨組構造同士（例えば、骨組構造１ａと骨組構造１ｂや骨組構造１ａと骨組構造１ａ′）は、骨組みの骨組一部を共有しているが、冂（けいがまえ）状の骨組は共有していない。こうすることで、骨組構造１ａ、１ｂ、・・・や骨組構造１ａ′１ｂ′、・・・の冂（けいがまえ）状の骨組を出入り口とすることができる。
【００３５】
図１０に示される骨組構造１Ｍでは、骨組構造１ａ〜１ｃや骨組構造１ａ′〜１ｃ′の冂（けいがまえ）状の骨組が形成する面は同一平面上にあるが、図示はしていないが、骨組構造１Ｍの両端にある骨組構造１ａ、１ｃ、１ａ′、１ｃ′の冂（けいがまえ）状の骨組の位置を変えたものとすることも可能である。
例えば、骨組構造１ａの冂（けいがまえ）状の骨組を骨組構造１Ｍの端部の面（図１０では左側の端面）に形成することができる。この場合は、骨組構造１ａ〜１ｃの冂（けいがまえ）状の骨組が形成する面は同一平面上にはない。そして、冂（けいがまえ）状の骨組を出入り口とすると、骨組構造１ａと骨組構造１ｂ、１ｃとは、出入り口の方向が９０°異なっている。
このように、複数の隣接する空間を隣接した２列形成された骨組構造１Ｍは、図１０に示すような、各列の冂（けいがまえ）状の骨組が形成する面が同一平面上にある骨組構造のものに限るものではない。
【００３６】
複数の隣接する空間が隣接して２列形成される骨組構造１Ｍは、いずれも以下のように規定することができる。
『骨組構造１Ｍは、３（ｎ＋１）本の支柱と４（２ｎ＋１）本の横架梁とから、各列ｎ個の隣接する空間が隣接して２列形成されている骨組構造であって、該２列の各空間を形成する骨組が図１に示す空間形成用の骨組構造からなる、各列ｎ個の隣接する空間が隣接して２列形成される空間形成用の骨組構造である。
ここで、ｎは２以上の整数である。』
図１０に示される骨組構造１Ｍでは、ｎ＝３であり、１２本の支柱と２８本の横架梁が使用されている。
【００３７】
複数の空間を形成することができる骨組構造１Ｍの空間の側面に対応する骨組にシートなどを取り付ければ、複数の外部と区切る空間を形成することができる。さらに、骨組構造１Ｍの空間の天井面に対応する骨組にシートなどを取り付ければ、複数の外部と区切る天井付きの空間を形成することができる。
また、骨組構造１Ｍにおける冂（けいがまえ）状の骨組には、カーテンなどを取り付けたり、あるいは何も取り付けないようにしたりして、骨組構造１Ｍが形成する各空間への出入り口とすることができる。
【００３８】
図１１には、骨組構造体１と同じ構造の骨組構造１ａにおける冂（けいがまえ）状の骨組を利用して、２本の支柱を新たに配置することにより、骨組構造１と同様の平面視４角形の骨組構造１ａ′を構築し、新たに配置した２本の支柱の上部に横架梁を架設して、冂（けいがまえ）状の骨組とした骨組構造１Ｍが示されている。
したがって、骨組構造１ａ′は、支柱が平面視４角形の４角形の角部に配置され、側面が２つの冂（けいがまえ）状の骨組および２本の支柱２と該２本の支柱の上端部と下端部に架設される２本の横架梁３とで形成される２つの矩形の骨組で側面が囲われる空間を形成することができる。この骨組構造１ａ′は、２つの側面が２つの冂（けいがまえ）状の骨組を有しており、骨組構造１とは異なる骨組構造を有している。
図１１に示される骨組構造１Ｍは、骨組構造１ａと骨組構造１ａ′が共有する骨組が冂（けいがまえ）状の骨組であり、これを出入り口として使用することができるから、骨組構造１と比べて奥行きが大きな空間を形成している。
図１１に示される骨組構造１ａ、１ａ′を利用して、図１０に示されるように、空間を連ねると、奥行きの大きな空間を長屋のように集合的に並べた骨組構造１Ｍを構築することが可能である。
【００３９】
骨組構造１や骨組構造１Ｍにおいて、支柱２の上部では、平面視４角形の４つの角部のいずれかにおいて、ジョイント４で連結された支柱２と横架梁３との間および横架梁３と横架梁３との間に形成されるコーナー部にコーナー材を取り付けることにより、骨組構造１や骨組構造１Ｍをより堅固なものにすることができる。
図１２に、コーナー材の使用例の１つを示した。すなわち、骨組構造１の支柱２の上端部に形成される平面視４角形の角部の１つにおいて、２つのコーナー材７が取り付けられ、支柱２と２本の横架梁のうちの一方の横架梁３ａとの間および該支柱２と他方の横架梁３ｂとの間のそれぞれのコーナー部にコーナー材７が架設されている。
【００４０】
コーナー材７は、本体部材７１と把持部材７２とからなり、該本体部材７１の両先端部に支柱２や横架梁３のパイプ材を把持できる把持部材７２が固定して取り付けられている。本体部材７１はパイプ材などから両端部を曲げて製作することができる。
本体部材７１の両端部は、両端部の軸中心線の延長が直角に交わっていなければならない。
図１３（ａ）にコーナー材７の一実施形態を、また図１３（ｂ）に、図１３（ａ）に示されるコーナー材７から把持部材７２を取り除いた本体部材７１の一実施形態をそれぞれ示した。本体部材７１の両端部に取り付けられる把持部材７２は同じ形状のものを使用することができる。
【００４１】
図１４にコーナー材７の把持部材７２の一実施形態を示した。この図から分かるように、把持部材７２は支柱２や横架梁３のパイプ材を把持することができる略Ｃ型の把持部７２１と本体部材７１の端部が挿入されるソケット部７２２を有している。そして、該本体部材７１の端部と該ソケット部７２２とのそれぞれにはネジが挿入できる雌ネジ孔（図面番号なし）が形成されており、該孔にネジをねじ込むことにより、把持部材７２を本体部材７１に固定することができる。
【００４２】
略Ｃ型の把持部７２１は弾性体の材料で作られており、コーナー材７を支柱２や横架梁３のパイプ材には、把持部７２１の把持片の間隔を拡げて押し込めば装着することができる。この把持部７２１の把持片の開口の向きは、コーナー材７の両端部では同じにすることが望ましい〔図１２（ｂ）および図１３（ａ）参照〕。
【００４３】
図１３（ｂ）に示される本体部材７１は、両端部と両端部に連続する中央部を有し、両端部は所定の長さを有し、その軸中心線の延長が直角に交差するとともに、両端部の長さは異なっている。こうすることで、図１２に示すように、同じ形状の２つのコーナー材を骨組構造１の支柱２の上端部に形成される平面視４角形の１つの角部に同時に使用することができる。
【００４４】
すなわち、図１２では、骨組構造１の平面視４角形の１つの角部において、支柱２の上端部に２つの同じ形状の、両端部の長さが異なっているコーナー材７が使用されている。ここで、仮に一方のコーナー材７を「コーナー材７ａ」、他方のそれを「コーナー材７ｂ」ということにすると、コーナー材７ａの長い方の端部と短い方の端部はそれぞれ一方の横架梁３ａ、支柱２に装着されているのに対して、コーナー材７ｂの長い方の端部と短い方の端部はそれぞれ支柱２、他方の横架梁３ｂに装着されているから、支柱２において、装着されるコーナー材７ａの端部とコーナー材７ｂの端部とは位置が重ならないようにすることができるので、同じ形状のコーナー材７ａ、コーナー材７ｂを１本の支柱２に対して同時に使用することができる。
この場合、本体部材７１の両端部の長さは、２つのコーナー材７ａ、７ｂが支柱の上端部において、支柱２と横架梁３が形成するコーナー部に装着されたときに、支柱２に装着されるコーナー材７ａの端部の位置とコーナー材７ｂの端部の位置が重ならない程度に差がなければならない。
こうすることで、コーナー材の形状を１つにすることができ、部品の種類の数を増やさないで済ませることができる。
【００４５】
コーナー材７は図１３に示すものに限るものではなく、両端部が同じ長さのものも使用できるが、１つの支柱２に対して、２つのコーナー材を使用する場合、図１２に示すように、２本の同じ形状のコーナー材を使用することができないから、異なる形状のものを使用することになる。したがって、この場合は、コーナー材として、２種の形状のものを準備しなければならない。
【００４６】
骨組構造１の平面視四角の角部において、各支柱２の上端部で支柱２と横架梁３とで形成される２つのコーナー部、横架梁３と横架梁３とで形成される１つのコーナー部がそれぞれ形成され、４本の支柱２の上端部では計１２のコーナー部が形成される。この計１２のコーナー部の少なくとも１つに、コーナー材７を架設することにより、骨組構造１をより堅固にすることができる。
さらに、この計１２のコーナー部の３つ以上の複数個所やすべての個所に架設することにより一層堅固にすることができる。
図１２に示すように、冂（けいがまえ）状の１つ骨組を構成する２本の支柱２のうち、１本の支柱２上端部と２つの横架梁３との間に形成される２つのコーナー部のそれぞれにコーナー材７を架設することも、骨組構造１を堅固なものにするには効果的である。
【００４７】
複数の空間を形成することができる骨組構造１Ｍでも、コーナー材の架設は、骨組構造１とおおむね同様であり、例えば、図８（ａ）に示される骨組構造１ａ〜１ｃではいずれの骨組構造においても、各支柱２の上端部で支柱２と横架梁３と間および横架梁３と横架梁３と間に形成されるコーナー部の少なくとも１つの支柱と横架梁に架設すると、集合的な空間が形成された骨組構造１Ｍをより堅固にすることができる。
複数の空間を形成することができる骨組構造１Ｍでは、各空間を形成する隣接する骨組〔例えば図８（ａ）では骨組構造１ａ、１ｂ〕が支柱２と横架梁３とが形成するコーナー部を共有しているが、支柱上端部において、共有する支柱と横架梁が形成するコーナー部にコーナー材を架設すると、隣接する空間のそれぞれの骨組構造〔例えば、図８（ａ）では骨組構造１ａと１ｂ〕を同時に堅固にすることができる。
【００４８】
骨組構造１の支柱の下端部に取り付けられたジョイント本体５には図１５に示すようなアジャスター８を取り付けることができる。
アジャスター８は、骨組構造１や骨組構造１Ｍが設置される場所の床や地面に接するベース部８１と雄ネジが刻まれた軸部８２からなり、軸部８２がベース部８１に立設されている。
骨組構造１の支柱２の下端部に取り付けられたジョイント本体５の正６面体の底面（すなわち正６面体において脚部５１が存在しない面）にアジャスター８の軸部８２の雄ネジと螺合する雌ネジが刻まれた孔が形成されており、図１６に示すように、アジャスター８の軸部をねじ込んでジョイント本体５に取り付けることができる。
【００４９】
骨組構造１を構成する４本の支柱２の下端部に取り付けられたジョイント本体５のすべてに、アジャスター８を取り付けると、骨組構造１が設置される床や地面に凹凸があっても、アジャスター８を回転させて、各々の支柱２底部のジョイント本体５の高さ位置を微調整して、骨組構造１のがたつきを抑えることができる。また、ジョイント本体５の底面を保護することもできる。さらに、ベース部８１をゴム製にしたりベース部８１の床や地面に接する部位にゴムなどの滑り止めを取り付けたりして滑り止め効果を持たせることもできる。
【００５０】
骨組構造１を構成する４本の支柱２の上端部に取り付けられたジョイント本体５には図１７に示すようなノブ付きネジ９を取り付けることができる。
ノブ付きネジ９は、ノブ部９１と雄ネジが刻まれた軸部９２からなり、軸部９２がノブ部９１に立設されている。
骨組構造１や骨組構造１Ｍの支柱２の上端部に取り付けられたジョイント本体５の正６面体の上面（すなわち正６面体において脚部５１が存在しない面）にノブ付きネジ９の軸部９２の雄ネジと螺合する雌ネジが刻まれた孔を形成し、図１８に示すように、ノブ付きネジ９の軸部をねじ込んでジョイント本体５に取り付けることができる。なお、ここでの孔は、アジャスター８の軸部８２と同じ雄ネジ溝を軸部９２に刻んでおけば、アジャスター８を取り付ける雌ネジが刻まれた孔と兼用することができる。
【００５１】
ノブ付きネジ９は、例えば、骨組構造１や骨組構造１Ｍが形成する空間の天井面や側面にシートなどを張るときに使用することができる。シートにノブ付きネジ９の軸部９２が通過できる孔を設けておき、該孔にノブ付きネジ９の軸部９２を通した後に、ジョイント本体５の正６面体の上面に穿設した孔に、ノブ付きネジ９のノブ部９１を手で回すなりして該ネジ９の軸部９２をねじ込み、ノブ部９１とジョイント本体５の正６面体の上面との間にシートを挟むことにより、シートを骨組構造１や骨組構造１Ｍに取り付けることができる。そして、骨組構造１や骨組構造１Ｍの天井面に対応する骨組にシートを張る場合は、シートの骨組構造１の平面視４角の４つの角部に対応する部位に孔を形成して、各角部の４個所でノブ付きネジ９のノブ部９１とジョイント本体５の正６面体の間にシートを挟むことにより、骨組構造１や骨組構造１Ｍの天井面に対応する骨組にシートを張ることができる。
【００５２】
上述したように、骨組構造１や骨組構造１Ｍでは、２本の支柱２と該２本の支柱２の上端部に架設された横架梁３で形成される冂（けいがまえ）状の骨組を備えている。
この骨組には、支柱２の下端部に架設される横架梁３がないため、骨組構造１が床や地面などに設置されたときに、骨組構造１が形成する空間に出入りする人が横架梁３につまずくことがないので、出入り口とするのに好適である。
すなわち、冂（けいがまえ）状の骨組を除く骨組構造１の側面や天井面に対応する骨組に布やビニールからなるシートで覆い、冂（けいがまえ）状の骨組の横架梁に、例えばカーテンを取り付けると、カーテンを、どちらか一方の支柱側に寄せるたり２つの支柱の間に拡げたりして、骨組構造１が形成する空間への出入り口とすることができる。
骨組構造１Ｍについても同様である。
【００５３】
このように、本発明の空間形成用の骨組構造は、種類が少ない部品を使用して組み立てることができるから、組立作業が容易に行える。そして、主要な部品にパイプ材を使用しているので、軽量な部品を扱うことになるから、この点でも組立作業がしやすい。
また、本発明の骨組構造を構成する部品は、いずれも嵩張らないものであるから、分解後はコンパクトに収納することができる。したがって、本発明の空間形成用の骨組構造は、屋内設置室や屋外設置室の構築に好適である。
【符号の説明】
【００５４】
１：空間形成用骨組構造
２：支柱
３：横架梁
４：ジョイント
５：ジョイント本体
５１：脚部
５２：脚部に形成された孔
６：サブジョイント（略Ｃ型クリップ、割ピン）
６１：ピン
６２：把持部
６３：頭部
７：コーナー材
７１：本体部材
７２：把持部材
７２１：把持部
７２２：ソケット部
８：アジャスター
８１：ベース部
８２：雄ネジが刻まれた軸部
９：ノブ付きネジ
９１：ノブ部
９２：雄ネジが刻まれた軸部
【要約】
【課題】組立、分解が容易であって、分解後にコンパクトに収納でき、さらに複数の空間が集合した骨組構造を構築することも容易な空間形成用の骨組構造を提供する。
【解決手段】パイプ材からなる支柱が平面視４角形の４角の角部に配置され、支柱の上端部において、支柱と支柱との間にパイプ材からなる横架梁を架設して該４角形の４辺を形成し、支柱の下端部において、支柱と支柱との間にパイプ材からなる横架梁を架設して該４角形の３辺を形成し、支柱と横架梁とがジョイントを介して連結された空間形成用の骨組構造であって、ジョイントは、ジョイント本体とサブジョイントからなり、ジョイント本体は正六面体ブロックと該ブロックの５面からそれぞれ直角に突き出る脚部を有し、ジョイント本体の脚部と支柱およびジョイント本体と横架梁は、それぞれサブジョイントにより、離脱しないように接続されていることを特徴とする空間形成用の骨組構造。
【選択図】図１【図１】
0006832035.tif 000002
【図２】
0006832035.tif 000003
【図３】
0006832035.tif 000004
【図４】
0006832035.tif 000005
【図５】
0006832035.tif 000006
【図６】
0006832035.tif 000007
【図７】
0006832035.tif 000008
【図８】
0006832035.tif 000009
【図９】
0006832035.tif 000010
【図１０】
0006832035.tif 000011
【図１１】
0006832035.tif 000012
【図１２】
0006832035.tif 000013
【図１３】
0006832035.tif 000014
【図１４】
0006832035.tif 000015
【図１５】
0006832035.tif 000016
【図１６】
0006832035.tif 000017
【図１７】
0006832035.tif 000018
【図１８】
0006832035.tif 000019